(57)【要約】【課題】ユーザが撮像画像を確認し画像を選択した後、別のユーザが選択画像を参考にしながら撮像画像を改めて確認する場合におけるユーザの画像確認時の負担を低減する画像表示装置、画像表示方法および画像表示プログラムを提供すること。【解決手段】本発明にかかる画像表示装置２０４は、フォルダＦ１に格納された画像群Ｐａの画像が順次表示される擬似動画像表示領域と、画像群Ｐａの中から選択された画像の縮小画像が表示される縮小画像表示領域とを備えた表示部３０と、選択画像の中から、擬似動画像表示領域に表示される画像の表示番号に最も近い表示番号を有する選択画像である近傍画像を抽出する選択画像抽出部２５２と、縮小画像表示領域の所定位置に抽出した近傍画像を縮小して表示させる表示制御部２５１とを備える。【選択図】      図７
2008062069.tif 000002
【特許請求の範囲】
【請求項１】
表示順番に対応する表示番号を画像ごとに付与された複数の画像が順次表示される第１の表示領域と、前記複数の画像の中から選択された選択画像の縮小画像が表示される第２の表示領域とを備えた表示手段と、
前記選択画像の中から、前記第１の表示領域に表示される画像の表示番号に最も近い表示番号を有する選択画像である近傍画像を抽出する抽出手段と、
前記第２の表示領域の所定位置に前記抽出手段が抽出した近傍画像を縮小して表示させる制御手段と、
を備えたことを特徴とする画像表示装置。 
【請求項２】
前記抽出手段は、前記選択画像の中から、前記近傍画像とともに、該近傍画像の表示番号よりも前の表示番号および／または該近傍画像の表示番号よりも後の表示番号を有する選択画像である前後画像を抽出し、
前記制御手段は、前記第２の表示領域に、前記抽出手段が抽出した近傍画像と前後画像とを縮小して表示させることを特徴とする請求項１に記載の画像表示装置。 
【請求項３】
前記複数の画像は、被検体内部を撮像した画像であることを特徴とする請求項１または２に記載の画像表示装置。 
【請求項４】
表示順番に対応する表示番号を画像ごとに付与された複数の画像が第１の表示領域に順次表示される第１の表示ステップと、
前記複数の画像の中から選択された選択画像のうち、前記第１の表示領域に表示される画像の表示番号に最も近い表示番号を有する選択画像である近傍画像を抽出する抽出ステップと、
第２の表示領域の所定位置に前記抽出ステップにおいて抽出された近傍画像を縮小して表示させる第２の表示ステップと、
を含むことを特徴とする画像表示方法。
【請求項５】
表示順番に対応する表示番号を画像ごとに付与された複数の画像が第１の表示領域に順次表示される第１の表示手順と、
前記複数の画像の中から選択された選択画像のうち、前記第１の表示領域に表示される画像の表示番号に最も近い表示番号を有する選択画像である近傍画像を抽出する抽出手順と、
第２の表示領域の所定位置に前記抽出手順において抽出された近傍画像を縮小して表示させる第２の表示手順と、
を含むことを特徴とする画像表示プログラム。
【発明の詳細な説明】
【技術分野】
【０００１】
この発明は、格納された複数の画像を順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信され外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護師においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、看護師が撮像画像を確認し診断に必要と考えられる画像を選択した後、医師が、看護師が選択した画像を参考にしながら撮像画像を改めて確認して診断を行う場合がある。この場合、看護師が選択した選択画像は、ディスプレイ上に縮小して表示される。しかしながら、従来では、医師は、看護師が選択した画像を詳細に確認したい場合、全ての画像の中から所望の画像を検索し、検索した画像をディスプレイ上に拡大表示させるという煩雑な処理を行う必要があった。特に、カプセル型内視鏡は、通常の内視鏡と異なり被験者が飲込んで自然に排出されるまでの期間、各臓器を撮像するため、観察（検査）時間が長時間に及び、膨大な枚数の画像を撮像する。このような膨大な画像の中から所望の選択画像を検索することはユーザである医師に大きな負担を課しており、診断の妨げとなっていた。
【０００６】
この発明は、上記した従来技術の欠点に鑑みてなされたものであり、ユーザが撮像画像を確認し画像を選択した後、別のユーザが選択画像を参考にしながら撮像画像を改めて確認する場合におけるユーザの画像確認時の負担を低減する画像表示装置、画像表示方法および画像表示プログラムを提供することを目的とする。
【課題を解決するための手段】
【０００７】
上述した課題を解決し、目的を達成するために、この発明にかかる画像表示装置は、表示順番に対応する表示番号を画像ごとに付与された複数の画像が順次表示される第１の表示領域と、前記複数の画像の中から選択された選択画像の縮小画像が表示される第２の表示領域とを備えた表示手段と、前記選択画像の中から、前記第１の表示領域に表示される画像の表示番号に最も近い表示番号を有する選択画像である近傍画像を抽出する抽出手段と、前記第２の表示領域の所定位置に前記抽出手段が抽出した近傍画像を縮小して表示させる制御手段と、を備えたことを特徴とする。
【０００８】
また、この発明にかかる画像表示装置は、前記抽出手段は、前記選択画像の中から、前記近傍画像とともに、該近傍画像の表示番号よりも前の表示番号および／または該近傍画像の表示番号よりも後の表示番号を有する選択画像である前後画像を抽出し、前記制御手段は、前記第２の表示領域に、前記抽出手段が抽出した近傍画像と前後画像とを縮小して表示させることを特徴とする。
【０００９】
また、この発明にかかる画像表示装置は、前記複数の画像は、被検体内部を撮像した画像であることを特徴とする。
【００１０】
また、この発明にかかる画像表示方法は、表示順番に対応する表示番号を画像ごとに付与された複数の画像が第１の表示領域に順次表示される第１の表示ステップと、前記複数の画像の中から選択された選択画像のうち、前記第１の表示領域に表示される画像の表示番号に最も近い表示番号を有する選択画像である近傍画像を抽出する抽出ステップと、第２の表示領域の所定位置に前記抽出ステップにおいて抽出された近傍画像を縮小して表示させる第２の表示ステップと、を含むことを特徴とする。
【００１１】
また、この発明にかかる画像表示プログラムは、表示順番に対応する表示番号を画像ごとに付与された複数の画像が第１の表示領域に順次表示される第１の表示手順と、前記複数の画像の中から選択された選択画像のうち、前記第１の表示領域に表示される画像の表示番号に最も近い表示番号を有する選択画像である近傍画像を抽出する抽出手順と、第２の表示領域の所定位置に前記抽出手順において抽出された近傍画像を縮小して表示させる第２の表示手順と、を含むことを特徴とする。
【発明の効果】
【００１２】
本発明によれば、表示順番に対応する表示番号を画像ごとに付与された複数の画像が順次表示される第１の表示領域と、複数の画像の中から選択された選択画像の縮小画像が表示される第２の表示領域とにおいて、選択画像の中から、第１の表示領域に表示される画像の表示番号に最も近い表示番号を有する選択画像である近傍画像を抽出し、第２の表示領域の所定位置に抽出した近傍画像を縮小して表示することによって、第１の表示領域に表示される画像とフレーム番号が最も近い近傍画像を容易に視認できるようにして、ユーザが撮像画像を確認し画像を選択した後、別のユーザが選択画像を参考にしながら撮像画像を改めて確認する場合におけるユーザの画像確認時の負担を低減することができる。
【発明を実施するための最良の形態】
【００１３】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００１４】
（実施の形態１）
まず、実施の形態１にかかる画像表示装置について説明する。本実施の形態１にかかる画像表示装置は、以前の画像確認において選択された画像の縮小画像がユーザによって選択された場合、選択された縮小画像に対応する画像を所定の表示領域に拡大させて表示することによって、ユーザによる画像の確認を簡易化する。
【００１５】
図１は、本実施の形態における被検体内情報取得システムの全体構成を示す模式図である。図１に示すように、本実施の形態における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して送受信される無線信号の処理等を行う外部装置２ｂとを備える。
【００１６】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像を順次表示する。以下、この順次表示された画像を擬似動画像という。
【００１７】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しは、コンパクトフラッシュ（登録商標）メモリ等の携帯型記録媒体５によって行う構成以外にも、外部装置２ｂと画像表示装置４との間が有線接続された構成をとることも可能である。
【００１８】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０を備える。
【００１９】
入力部２０は、キーボードやマウスなどのポインティングデバイスなどによって実現され、画像表示装置４の動作指示および画像表示装置４が行なう処理の指示情報を入力し、各指示情報を制御部５０に送出する。入力部２０は、表示部３０に表示された縮小画像の中から所望の縮小画像を選択する選択情報を入力する。たとえば、入力部２０のマウスの左ボタンをクリックして縮小画像を選択した場合に、入力部２０は、この縮小画像を選択する選択情報を入力する。また、入力部２０は、所望の縮小画像を含む動画像の表示を指示する動画像指示情報を入力する。たとえば、入力部２０のマウスの左ボタンをダブルクリックして縮小画像を選択した場合に、入力部２０は、所望の縮小画像を起点とした動画像の表示を指示する動画指示情報を入力する。
【００２０】
表示部３０は、ＣＲＴディスプレイ、液晶ディスプレイ等によって実現され、入力部２０の指示情報あるいは指示結果などを表示する。表示部３０は、記憶部４０のフォルダＦ１に格納された画像群Ｐａの画像が順次表示される所定の擬似動画像表示領域と、記憶部４０のフォルダＦ２に格納された選択画像群Ｐｂの選択画像の縮小画像が表示される所定の縮小画像表示領域と有する。
【００２１】
記憶部４０は、たとえばハードディスク装置などによって実現され、各種画像などを保持する。たとえば、フォルダＦ１内には、カプセル型内視鏡３によって撮像された画像群Ｐａが格納される。また、フォルダＦ２内には、フォルダＦ１内に格納された画像群Ｐａの中から予め選択された選択画像群Ｐｂが格納される。なお、フォルダＦ１に格納された画像群Ｐａのうち、予め選択された画像に所定のフラグを付与することによって、選択画像であるか否かを判別させるようにしてもよい。また、フォルダＦ１に格納された画像群Ｐａは、画像ごとに、受信装置２における画像データの受信順にしたがってフレーム番号を付与されている。
【００２２】
制御部５０は、入力部２０、表示部３０、記憶部４０の各処理または動作を制御する。制御部５０は、選択画像抽出部５２を有する表示制御部５１を備える。選択画像抽出部５２は、入力部２０から入力された選択情報をもとに、この選択情報によって選択された縮小画像に対する画像をフォルダＦ１の画像群Ｐａの中から抽出する。表示制御部５１は、表示部３０における表示処理を制御する機能を有し、擬似動画像として、画像群Ｐａの画像をフレーム番号順にしたがって表示部３０に順次表示させる。このため、画像群Ｐａの各画像に付与されたフレーム番号は、表示部３０における表示順番に対応する表示番号となる。表示制御部５１は、選択画像抽出部５２が抽出した画像を縮小画像表示領域に表示された縮小画像よりも大きな画像で表示部３０の擬似動画像表示領域内に表示させる。表示制御部５１は、表示部３０の擬似動画像表示領域に表示される画像のうちの少なくとも一つの画像を選択画像抽出部５２が抽出した画像に切り替えて、この画像を擬似動画像表示領域内に表示させる。
【００２３】
また、選択画像抽出部５２は、入力部２０から動画指示情報が入力された場合には、画像群Ｐａの中から、動画指示情報によって指示された縮小画像に対する画像である指示画像とともに、連続画像として、この画像とフレーム番号が近い順に所定数の画像を抽出する。たとえば、所望の縮小画像を起点とした動画像の表示を指示する動画指示情報を入力された場合には、選択画像抽出部５２は、動画指示情報によって指示された縮小画像に対する画像とともに、この画像よりも後のフレーム番号を有する所定数の画像を抽出する。表示制御部５１は、選択画像抽出部５２が抽出した指示画像と連続画像とをもとに動画像を生成する。表示制御部５１は、表示部３０の擬似動画像表示領域に順次表示される画像のうちの少なくとも一つの画像を生成した動画像に切り替えて、この動画像を擬似動画像表示領域に表示させる。
【００２４】
つぎに、図３を参照して、制御部５０による画像表示処理手順について説明する。図３において、制御部５０は、入力部２０から画像群Ｐａの擬似動画像表示を指示する指示情報があったか否かを判断する（ステップＳ１０２）。制御部５０は、擬似動画像表示を指示する指示情報があるまでステップＳ１０２の判断を繰り返す。制御部５０が擬似動画像表示を指示する指示情報があったと判断した場合（ステップＳ１０２：Ｙｅｓ）、表示制御部５１は、記憶部４０のフォルダＦ２に格納された選択画像群Ｐｂを読み出し、縮小画像表示領域に読み出した選択画像の縮小画像を表示させる（ステップＳ１０４）。表示制御部５１は、表示対象の画像を示す画像のフレーム番号を初期化し、０とする（ステップＳ１０６）。表示制御部５１は、擬似動画像表示を指示された画像群ＰａをフォルダＦ１から読み出す。
【００２５】
表示制御部５１は、表示対象の画像のフレーム番号をもとに次に表示対象となる画像を表示部３０の擬似動画像表示領域に表示し、表示部３０に擬似動画像表示を行わせる（ステップＳ１０８）。表示制御部５１は、画像のフレーム番号に、擬似動画像表示領域に表示された画像枚数に対応する数値を加算する（ステップＳ１１０）。表示制御部５１は、擬似動画像表示領域に２枚ずつ表示する場合は、フレーム番号を２加算する。
【００２６】
その後、表示制御部５１は、入力部２０から画像表示の終了を指示する指示情報があるか否かを判断し（ステップＳ１１２）、この指示情報があった場合には（ステップＳ１１２：Ｙｅｓ）、表示部３０における画像表示を終了させる。これに対し、表示制御部５１は、入力部２０から画像表示の終了を指示する指示情報がないと判断した場合（ステップＳ１１２：Ｎｏ）、表示部３０が、擬似動画像表示を指示された画像群Ｐａの最終画像まで表示したか否かを判断する（ステップＳ１１４）。表示制御部５１は、表示部３０が、画像群Ｐａの最終画像まで表示したと判断した場合（ステップＳ１１４：Ｙｅｓ）、表示部３０の擬似動画像表示領域における擬似動画像表示を終了する。
【００２７】
一方、表示制御部５１は、画像群Ｐａの最終画像まで表示していないと判断した場合（ステップＳ１１４：Ｎｏ）、入力部２０から入力された選択情報の有無をもとに、縮小画像表示領域に表示された縮小画像の選択があるか否かを判断する（ステップＳ１１６）。表示制御部５１は、縮小画像の選択がないと判断した場合には（ステップＳ１１６：Ｎｏ）、ステップＳ１０８に進み、画像群Ｐａのうち次に表示対象となる画像を表示部３０の擬似動画像表示領域に表示し、表示部３０に擬似動画像表示を行わせる（ステップＳ１０８）。
【００２８】
また、表示制御部５１は、縮小画像の選択があると判断した場合には（ステップＳ１１６：Ｙｅｓ）、入力部２０から入力された動画指示情報の有無をもとに、選択された縮小画像を含む動画像の表示指示があるか否かを判断する（ステップＳ１１８）。
【００２９】
表示制御部５１が選択された縮小画像を含む動画像の表示指示がないと判断した場合には（ステップＳ１１８：Ｎｏ）、選択画像抽出部５２は、フォルダＦ１の画像群Ｐａの中から、選択情報によって選択された縮小画像に対する画像を抽出する（ステップＳ１２０）。表示制御部５１は、表示部３０の擬似動画像表示領域に表示される画像のうち少なくとも一つの画像を選択画像抽出部５２が抽出した画像に切り替える表示切り替え処理を行い（ステップＳ１２２）、表示制御部５１は、選択画像抽出部５２が抽出した画像を表示部３０の擬似動画像表示領域内に表示させる（ステップＳ１２４）。この場合、選択情報によって選択された縮小画像に対する画像は、縮小された状態ではなく、擬似動画像表示領域に表示される他の画像と同様の大きさで表示される。その後、ステップＳ１０８に進み、画像群Ｐａのうち次に表示対象となる画像を表示部３０の擬似動画像表示領域に表示し、表示部３０に擬似動画像表示を行わせる（ステップＳ１０８）。この場合、擬似動画像表示領域に表示される画像群Ｐａのうち一枚は、選択情報によって選択された縮小画像に対応する画像であるため、擬似動画像表示領域に表示される画像群Ｐａの画像枚数は、縮小画像の選択前と比較して一枚少なくなる。若しくは、ステップＳ１２２の後、擬似動画像表示領域での動画像表示をユーザの指示があるまで一時停止してもよい。
【００３０】
これに対し、表示制御部５１が選択画像に対する動画像表示の指示があると判断した場合には（ステップＳ１１８：Ｙｅｓ）、選択画像抽出部５２は、動画指示情報によって選択された縮小画像に対する指示画像とともに連続画像を抽出する（ステップＳ１２６）。表示制御部５１は、選択画像抽出部５２が抽出した指示画像と連続画像とをもとに動画像を生成する（ステップＳ１２８）。表示制御部５１は、表示部３０の擬似動画像表示領域に表示される画像のうち少なくとも一つの画像を生成した動画像に切り替える表示切り替え処理を行い（ステップＳ１３０）、表示制御部５１は、生成した動画像を表示部３０の擬似動画像表示領域内に表示させる（ステップＳ１３２）。この場合、生成された縮小画像に対する動画像は、縮小された状態ではなく、擬似動画像表示領域に表示される他の画像と同様の大きさで表示される。その後、ステップＳ１０８に進み、画像群Ｐａのうち次に表示対象となる画像を表示部３０の擬似動画像表示領域に表示し、表示部３０に擬似動画像表示を行わせる（ステップＳ１０８）。この場合、擬似動画像表示領域に表示される画像群Ｐａの画像のうち一枚は、動画指示情報によって選択された縮小画像に対応する動画像であるため、擬似動画像表示領域に表示される画像群Ｐａの画像枚数は、縮小画像の選択前と比較し、自動的に一枚少なくなる。若しくは、擬似動画像表示領域に表示される画像を全て、ステップＳ１２８で生成した動画像に切り替えてもよい。
【００３１】
つぎに、図４を参照して、表示部３０の表示画面上において、選択された縮小画像に対する画像表示処理について説明する。図４は、表示部３０の表示画面の一例を示す図であり、表示部３０の表示画面には、ウィンドウＷが表示される。ウィンドウＷには、大きくは、擬似動画像表示領域Ａ１、縮小画像表示領域Ａ２が設けられる。擬似動画像表示領域Ａ１には、フォルダＦ１に格納された画像群Ｐａが順次表示される。また、縮小画像表示領域Ａ２には、画像群Ｐａの中から予め選択された画像に対する縮小画像が撮像順にしたがって表示される。ユーザは、入力部２０のマウスなどを操作しスライダーＳａを上下に移動させることによって縮小画像表示領域Ａ２に表示される縮小画像を変更する。
【００３２】
再生ボタン２４のマウスによるクリックによって画像群Ｐａの擬似動画像表示の開始を指示された場合、擬似動画像表示領域Ａ１には、画像群Ｐａの画像が２枚ごとに順次表示され、縮小画像表示領域Ａ２には、選択画像群Ｐｂの選択画像の縮小画像が表示される。
【００３３】
そして、ユーザが、この縮小画像表示領域Ａ２に表示された縮小画像Ｐｅ２１を選択した場合を例に説明する。この場合、ユーザは、マウスを操作し、カーソル２３を所望の縮小画像Ｐｅ２１上に移動させ、左ボタンをクリックする。この結果、入力部２０は、縮小画像Ｐｅ２１を選択する選択情報を制御部５０に入力する。この選択情報を受け、選択画像抽出部５２は、選択情報によって選択された縮小画像Ｐｅ２１に対する画像Ｐ２１を画像群Ｐａの中から抽出する。表示制御部５１は、擬似動画像表示領域Ａ１に表示される２枚の画像のうち、たとえば擬似動画像表示領域Ａ１の左側領域に表示される１枚の画像を選択画像抽出部５２が抽出した画像Ｐ２１に切り替えて、この画像Ｐ２１を擬似動画像表示領域Ａ１の左側領域に表示させる。
【００３４】
この結果、図５の矢印Ｙ１に示すように、擬似動画像表示領域Ａ１の左側領域Ａ３に、ユーザが選択した縮小画像Ｐｅ２１に対する画像Ｐ２１が、擬似動画像表示領域Ａ１に表示される画像と同様の大きさで表示される。擬似動画像表示領域Ａ１の右側領域には、画像Ｐ１１，Ｐ１２の次のフレーム番号を有する画像Ｐ１３が表示される。また、ユーザが、縮小画像Ｐｅ２１上でダブルクリックを行った場合には、入力部２０から、この縮小画像Ｐｅ２１を起点とした動画像を指示する動画像指示情報が制御部５０に入力される。この場合、選択画像抽出部５２および表示制御部５１によって、この縮小画像Ｐｅ２１に対応する画像Ｐ２１と画像Ｐ２１よりも後のフレームである所定数の画像をもとに動画像が生成される。そして、生成された動画像が、擬似動画像表示領域Ａ１に表示されるＰ１３と同様の大きさで擬似動画像表示領域Ａ１の左側領域Ａ３に表示される。
【００３５】
このように、実施の形態１にかかる画像表示装置によれば、ユーザが選択した縮小画像に対応する画像を、縮小画像表示領域に表示された縮小画像よりも大きな画像で自動的に擬似動画像表示領域に表示するため、ユーザは、画像検索などの煩雑な処理を行うことなく、ユーザ自身が選択した縮小画像を拡大した状態で再確認することができる。このため、本実施の形態１によれば、特に、ユーザが撮像画像を確認し画像を選択した後、別のユーザが選択画像を参考にしながら撮像画像を改めて確認する場合におけるユーザの画像確認時の負担を低減することができ、ユーザは、画像確認を円滑に行うことができる。
【００３６】
なお、表示制御部５１は、図５に示すように、左側領域に表示される画像Ｐ２１の近傍に、ユーザが選択した縮小画像に対応する画像であることを示すマーカーＭａを表示させてもよい。この結果、ユーザは、擬似動画像表示領域Ａ１に表示された画像Ｐ２１，Ｐ１３のいずれが選択された縮小画像に対する画像であるかを容易に視認することができる。また、表示制御部５１は、縮小画像表示領域Ａ２上に、選択された縮小画像Ｐｅ２１を囲む枠Ｃを表示させる。この結果、ユーザは、擬似動画像表示領域Ａ１に表示された画像Ｐ２１が、縮小画像表示領域Ａ２に表示された縮小画像のいずれに対応するかを容易に視認することができる。また、図４および図５に示すように、縮小画像表示領域Ａ２に表示される縮小画像の近傍には、この縮小画像に対する処理内容ごとに色分けしたマーカーＭａ，Ｍｂを表示させてもよい。たとえば、マーカーＭａは、ユーザによって選択された画像を表示し、マーカーＭｂは、ユーザによって診断書等作成に用いられた画像であることを表示する。さらに、擬似動画像表示領域Ａ１の左側領域Ａ３に表示された画像Ｐ２１の近傍に表示するマーカーを、対応する縮小画像近傍に表示されたマーカーＭａ，Ｍｂに対応させて表示させてもよい。
【００３７】
また、図６に示すように、縮小画像表示領域Ａ２に表示された縮小画像に、それぞれ、アイコンＩａ，Ｉｂを表示させてもよい。アイコンＩａは、縮小画像に対応する画像が撮像された時刻を表示する。アイコンＩａは、クリックされることによって、縮小画像に対応する画像が撮像された日付を表示するアイコンＩａ２に変化し、また、ダブルクリックされることによって、縮小画像に対応する画像の撮像部位を表示するアイコンＩａ３に変化する。また、アイコンＩｂは、ユーザによるコメントが付されていることを示し、このアイコンＩｂをクリックすることによって、ユーザによるコメントが表示される。
【００３８】
（実施の形態２）
つぎに、実施の形態２について説明する。実施の形態２では、擬似動画像表示領域に表示される擬似動画像に合わせて、擬似動画像表示領域に表示される画像のフレーム番号と最も近いフレーム番号を有する選択画像を縮小表示し、ユーザが、擬似動画像表示領域に表示される擬似動画像とフレーム番号が最も近い選択画像を容易に視認できるようにしている。
【００３９】
図７は、実施の形態２にかかる画像表示装置の概略構成を示すブロック図である。図７に示すように、画像表示装置２０４では、実施の形態１における制御部５０と比較し、制御部２５０は、選択画像抽出部２５２を有する表示制御部２５１を備える。制御部２５０は、実施の形態１における制御部５０と同等に、入力部２０、表示部３０、記憶部４０の各処理または動作を制御する。表示制御部２５１は、表示部３０における表示処理を制御する機能を有する。選択画像抽出部２５２は、表示部３０における擬似動画像表示領域に表示される擬似動画像のフレーム番号に最も近いフレーム番号を有する画像をフォルダＦ２の選択画像群Ｐｂの中から抽出する。表示制御部２５１は、表示部３０における縮小画像表示領域の所定位置に選択画像抽出部２５２が抽出した選択画像を縮小して表示させる。
【００４０】
つぎに、図８を参照して、制御部２５０による画像表示処理手順について説明する。まず、図３に示すステップＳ１０２と同様に、表示制御部２５１は、擬似動画像表示指示に対する判断処理（ステップＳ２０２）を行った後、図３に示すステップＳ１０６およびステップＳ１０８と同様に、フレーム番号の初期化処理（ステップＳ２０４）および擬似動画像表示処理（ステップＳ２０６）を行う。
【００４１】
その後、選択画像抽出部２５２は、表示部３０の擬似動画像表示領域に表示される擬似動画像のフレーム番号を参照し、選択画像群Ｐｂの中から、この擬似動画像のフレーム番号に最も近いフレーム番号を有する選択画像を抽出する選択画像抽出処理を行う（ステップＳ２０８）。表示制御部２５１は、表示部３０の縮小画像表示領域に、選択画像抽出部２５２が抽出した選択画像を縮小して表示させる（ステップＳ２１０）。
【００４２】
図３に示すステップＳ１１０〜ステップＳ１１４と同様に、表示制御部２５１は、フレーム番号の加算処理（ステップＳ２１２）、画像表示終了指示に対する判断処理（ステップＳ２１４）、最終画像表示に対する判断処理（ステップＳ２１６）を行う。表示制御部２５１は、画像群Ｐａの最終画像を表示していないと判断した場合（ステップＳ２１６：Ｎｏ）、ステップＳ２０６に進み、画像群Ｐａのうち次に表示対象となる画像を擬似動画像表示領域に表示させる。
【００４３】
つぎに、図９を参照して、図８に示す処理手順を説明する。図９は、図７に示す表示部３０の表示画面の一例を示す図であり、表示部３０の表示画面上には、ウィンドウＷが表示される。ウィンドウＷには、図４に示すウィンドウＷと同様に、擬似動画像表示領域Ａ１が設けられるほか、縮小画像表示領域Ａ２が設けられる。また、再生ボタン２４、一時停止ボタン２５ａ、コマ送りボタン２５ｂ、逆コマ送りボタン２５ｃを含む動画表示制御ボタンが設けられる。
【００４４】
たとえば、擬似動画像表示領域Ａ１には、画像群Ｐａの画像のうち、フレーム番号順にしたがって、フレーム番号が「３１」である画像Ｐ３１と、画像Ｐ３１の右側領域にフレーム番号が「３２」である画像Ｐ３２が表示される。たとえば、選択画像群Ｐｂに含まれる画像のフレーム番号が「１１」、「２５」、「３４」、「３７」、「４０」とする。この場合、選択画像抽出部２５２は、選択画像群Ｐｂの中から、画像Ｐ３１，Ｐ３２に最も近いフレーム番号「３４」を有する選択画像を抽出する。表示制御部２５１は、縮小画像表示領域Ａ２に、選択画像抽出部２５２が抽出したフレーム番号が「３４」である選択画像を縮小した縮小画像を表示させる。この結果、図９に示すように、縮小画像表示領域Ａ２には、フレーム番号「３４」である選択画像の縮小画像Ｐｅ３４が表示される。さらに、擬似動画像表示領域Ａ１に表示される画像が変更された場合には、縮小画像表示領域Ａ２には、変更された画像のフレーム番号に最も近いフレーム番号を有する選択画像に対する縮小画像が表示される。
【００４５】
このように、本実施の形態２にかかる画像表示装置２０４は、擬似動画像表示領域に表示される擬似動画像に合わせて、擬似動画像表示領域に表示される画像のフレーム番号と最も近いフレーム番号を有する選択画像を縮小して表示し、ユーザが、擬似動画像表示領域に表示される擬似動画像とフレーム番号が最も近い選択画像を容易に視認できるようにしている。この結果、本実施の形態２にかかる画像表示装置２０４によれば、擬似動画像表示領域に表示される擬似動画像と、縮小画像表示領域に表示される選択画像の縮小画像とを比較することによって、ユーザは、別のユーザが以前に選択した画像もしくは類似画像を重複して再度選択することを防止することができる。特に、ユーザが撮像画像を確認し画像を選択した後、別のユーザが選択画像を参考にしながら撮像画像を改めて確認する場合におけるユーザの負担を低減することができ、ユーザによる円滑な画像確認を可能とするという効果を奏する。
【００４６】
なお、ユーザは、擬似動画像表示領域Ａ１に表示される擬似動画像を見逃した場合であっても、図９に示す一時停止ボタン２５ａ、コマ送りボタン２５ｂ、逆コマ送りボタン２５ｃなどを選択することによって、確認したい擬似動画像を調整することができる。この場合、縮小画像表示領域Ａ２に表示される選択画像は、擬似動画像表示領域Ａ１に表示される画像と対応して自動的に変化する。このため、ユーザは、一時停止、コマ送り、逆コマ送りなどの動画表示制御を行うことによって、擬似動画像表示領域Ａ１に表示される画像と縮小画像表示領域Ａ２に表示される選択画像とを所望の時間、比較することができ、擬似動画像表示領域に表示される画像の見逃しや、別のユーザが以前に選択した画像を重複して再度選択することを確実に防止することができる。
【００４７】
また、本実施の形態２では、縮小画像表示領域に複数の縮小画像を表示してもよい。たとえば、図１０に示すように、縮小画像表示領域Ａ２には、擬似動画像表示領域Ａ１に表示される画像Ｐ３１，Ｐ３２のフレーム番号と最も近いフレーム番号「３４」を有する選択画像のほか、このフレーム番号「３４」よりも後の「３７」、「４０」のフレーム番号を有する選択画像を縮小した縮小画像Ｐｅ３７，Ｐｅ４０を表示してもよい。さらに、擬似動画像表示領域Ａ１に表示される画像が変更された場合には、縮小画像表示領域Ａ２には、変更された画像のフレーム番号に最も近いフレーム番号と、このフレーム番号よりも後のフレーム番号を有する所定数の選択画像に対する縮小画像が表示される。
【００４８】
この場合、選択画像抽出部２５２は、選択画像群Ｐｂの中から、擬似動画像表示領域に表示される画像のフレーム番号に最も近いフレーム番号を有する選択画像と、この選択画像のフレーム番号よりも後のフレーム番号を有する所定数の選択画像を抽出する。そして、表示制御部２５１は、縮小画像表示領域に、選択画像抽出部２５２が抽出した選択画像をそれぞれ縮小してフレーム番号順に表示させる。この結果、擬似動画像表示領域Ａ１に表示される画像のフレーム番号に最も近いフレーム番号を有する選択画像は、縮小画像表示領域Ａ２の所定位置に縮小して表示される。
【００４９】
また、図１１に示すように、縮小画像表示領域Ａ２には、擬似動画像表示領域Ａ１に表示される画像Ｐ３１，Ｐ３２のフレーム番号と最も近いフレーム番号「３４」を有する選択画像のほか、このフレーム番号「３４」よりも前の「２５」のフレーム番号を有する選択画像と、フレーム番号「３４」よりも後の「３７」のフレーム番号を有する選択画像を縮小した縮小画像Ｐｅ２５，Ｐｅ３７を表示してもよい。この場合、選択画像抽出部２５２は、選択画像群Ｐｂの中から、擬似動画像表示領域に表示される画像のフレーム番号に最も近いフレーム番号を有する選択画像と、この選択画像のフレーム番号よりも前のフレーム番号を有する所定数の選択画像と、この選択画像のフレーム番号よりも後のフレーム番号を有する所定数の選択画像とを抽出する。そして、表示制御部２５１は、縮小画像表示領域に、選択画像抽出した選択画像をそれぞれ縮小してフレーム番号順に表示させる。このため、擬似動画像表示領域Ａ１に表示される画像のフレーム番号に最も近いフレーム番号を有する選択画像は、縮小画像表示領域Ａ２の所定位置に縮小して表示される。
【００５０】
このように、擬似動画像表示領域に表示される画像のフレーム番号に最も近いフレーム番号を有する選択画像とともに、この選択画像のフレーム番号の近傍のフレーム番号を有する所定枚数の選択画像を縮小して表示してもよい。この場合、ユーザは、擬似動画像表示領域に表示される画像のフレーム番号の近傍において選択された選択画像を容易に視認することができるため、以前に選択した画像および類似画像を重複して再度選択することを確実に防止することができる。また、図１０および図１１に示すように、縮小画像表示領域Ａ２に表示される縮小画像のうち、擬似動画像表示領域Ａ１に表示される画像のフレーム番号に最も近いフレーム番号である縮小画像Ｐｅ３４の周囲に枠Ｃｂを表示させることによって、ユーザは、縮小画像表示領域Ａ２に表示された縮小画像のいずれが擬似動画像表示領域Ａ１に表示された擬似動画像のフレーム番号に最も近い画像であるかを容易に視認することができる。
【００５１】
また、本実施の形態２では、図１２に示すように、表示制御部２５１は、選択画像群Ｐｂの選択画像を縮小して表示する縮小画像表示領域Ａ２２のスライダーＳｂを自動的に移動させて、擬似動画像表示領域に表示される画像Ｐ３１，Ｐ３２のフレーム番号に最も近いフレーム番号「３４」である縮小画像Ｐｅ３４を所定位置に表示させてもよい。この場合、ユーザは、入力部２０のマウスの操作によって、スライダーＳｂを移動させ、縮小画像表示領域Ａ２２に表示される縮小画像を変更することもでき、ユーザによる選択画像の確認をさらに柔軟に行うことができる。
【００５２】
また、本実施の形態２では、図１３に示すように、図９に示す縮小画像表示領域Ａ２とともに、選択画像群Ｐｂの選択画像を縮小して表示する縮小画像表示領域Ａ２３を表示してもよい。さらに、縮小画像表示領域Ａ２３のスライダーＳｃは、擬似動画像表示領域Ａ１に表示される画像に合わせて自動的に移動し、擬似動画像表示領域Ａ１に表示される画像のフレーム番号に最も近いフレーム番号である縮小画像を所定位置に表示させてもよい。
【００５３】
また、本実施の形態２では、画像とともに撮像時刻を表示したアイコンを表示してもよい。たとえば、図１４に示すように、擬似動画像表示領域Ａ１の画像Ｐ３１においては、画像Ｐ３１の撮像時刻を表示したアイコンＩｔａが表示され、画像Ｐ３２においては、画像Ｐ３２の撮像時刻を表示したアイコンＩｔｂが表示される。また、縮小画像表示領域Ａ２の縮小画像Ｐｅ３４においては、縮小画像Ｐｅ３４に対応するフレーム番号「３４」である画像の撮像時刻を表示したアイコンＩｔｃが表示される。このように、各画像の撮像時刻を表示したアイコンをそれぞれ表示した場合、ユーザは、各アイコンに表示された時刻を照合することによって、擬似動画像表示領域Ａ１に表示される擬似動画像と、縮小画像表示領域Ａ２に表示される選択画像の縮小画像とが、同一のものであるかを確実に判別することができる。また、図１４に示すように、縮小画像表示領域Ａ２に表示された選択画像の撮像時刻が、全体的な撮像時間中のどの時刻によるものかを示すマーカーＭｄをタイムバーＢａに対応させて表示させてもよい。この場合、ユーザは、擬似動画像表示領域Ａ１に表示される擬似動画像の撮像時刻が撮像時刻中のどの時刻によるものかを示すスライダーＳｄの位置と、マーカーＭｄの位置とを比較することによって、擬似動画像表示領域Ａ１に表示される擬似動画像と、縮小画像表示領域Ａ２に表示される選択画像の縮小画像との撮像時刻をそれぞれ比較することもできる。
【００５４】
また、本実施の形態２においても、実施の形態１で説明したように、縮小画像表示領域に表示された縮小画像がユーザによって選択された場合、この縮小画像に対応する画像を擬似動画像表示領域に拡大させて表示してもよい。
【００５５】
また、本実施の形態１，２では、図４〜図６および図９〜図１４において、擬似動画像表示領域Ａ１に２枚の画像を表示した場合について説明したが、もちろん表示枚数を限定するものではなく、擬似動画像表示領域Ａ１に、たとえば、４枚の画像を表示してもよい。また、擬似動画像表示領域Ａ１に表示する画像の枚数は、入力部２０の指示情報をもとに変更することができるとしてもよい。
【００５６】
また、上記実施の形態１，２で説明した画像表示装置４，２０４は、あらかじめ用意されたプログラムをパーソナル・コンピュータやワークステーションなどのコンピュータシステムで実行することによって実現することができる。以下、上記実施の形態で説明した画像表示装置と同様の機能を有する画像表示プログラムを実行するコンピュータシステムについて説明する。
【００５７】
図１５は、上述した実施の形態を用いたコンピュータシステムの構成を示すシステム構成図であり、図１６は、このコンピュータシステムにおける本体部の構成を示すブロック図である。図１５に示すように、本実施の形態１，２にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００５８】
また、このコンピュータシステム１００における本体部１０１は、図１６に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００５９】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００６０】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００６１】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００６２】
【図１】実施の形態１における被検体内情報取得システムの全体構成を示す模式図である。
【図２】実施の形態１にかかる画像表示装置の概略構成を示すブロック図である。
【図３】図２に示す制御部による画像表示処理手順を示すフローチャートである。
【図４】図２に示す表示部の表示画面の一例を示す図である。
【図５】図２に示す表示部の表示画面の一例を示す図である。
【図６】図２に示す表示部の表示画面の一例を示す図である。
【図７】実施の形態２にかかる画像表示装置の概略構成を示すブロック図である。
【図８】図７に示す制御部による画像表示処理手順を示すフローチャートである。
【図９】図７に示す表示部の表示画面の一例を示す図である。
【図１０】図７に示す表示部の表示画面の一例を示す図である。
【図１１】図７に示す表示部の表示画面の一例を示す図である。
【図１２】図７に示す表示部の表示画面の一例を示す図である。
【図１３】図７に示す表示部の表示画面の一例を示す図である。
【図１４】図７に示す表示部の表示画面の一例を示す図である。
【図１５】実施の形態１，２を用いたコンピュータシステムの構成を示す構成図である。
【図１６】図１５に示したコンピュータシステムにおける本体部の構成を示すブロック図である。
【符号の説明】
【００６３】
１  被検体
２  受信装置
２ａ  受信ジャケット
２ｂ  外部装置
４，２０４  画像表示装置
５  携帯型記録媒体
２０  入力部
３０  表示部
４０  記憶部
５０，２５０  制御部
５１，２５１  表示制御部
５２，２５２  選択画像抽出部
２３  カーソル
２４  再生ボタン
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2008062069.tif 000003
【図２】
2008062069.tif 000004
【図３】
2008062069.tif 000005
【図４】
2008062069.tif 000006
【図５】
2008062069.tif 000007
【図６】
2008062069.tif 000008
【図７】
2008062069.tif 000009
【図８】
2008062069.tif 000010
【図９】
2008062069.tif 000011
【図１０】
2008062069.tif 000012
【図１１】
2008062069.tif 000013
【図１２】
2008062069.tif 000014
【図１３】
2008062069.tif 000015
【図１４】
2008062069.tif 000016
【図１５】
2008062069.tif 000017
【図１６】
2008062069.tif 000018